(57)【要約】【課題】  酸素富化した空気または抗酸化物質を含んだ空気を室内全体に放出する装置を備えた空気調和装置において、室内機に吸い込まれた空気中の汚れや冷房運転時に発生する結露水により発生するカビが、室内機内の風路の各個所に付着するため、室内機から放出される酸素高濃度空気と抗酸化物質などの室内空気質改善空気の効果が低下する。【解決手段】  室内機と室外機を有し、室内機の風路の出口近傍に取り付けられて複数板状部品を回動して吹出し方向を変更可能な風向き変更装置と、少なくとも酸素富化または抗酸化作用を有する物質のうち１つを室内機の吸込口または風路内または吹出口に放出する装置とを備え、風向き変更装置の複数の板状部品を風路から着脱させるまたは風向き変更装置を固定状態を解除して風路の端の方向に可動させるようにして風路を開放可能としたものである。【選択図】        図１
2005147436.tif 000002
【特許請求の範囲】
【請求項１】
室内機と室外機を有し、前記室内機に設けた室内ファンを回動することで送風された空気を導く風路の出口近傍に取り付けられて複数の板状部品を回動して前記室内機から吹出される風の方向を変更可能な風向き変更装置と、少なくとも酸素富化または抗酸化作用を有する物質のうち１つを前記室内機の吸込口または風路内または吹出し口に放出する装置とを備え、前記風向き変更装置の複数の板状部品を前記風路から脱着させるまたは前記風向き変更装置の固定状態を解除して前記風路の端の方向に可動させるようにして前記風路を開放可能としたことを特徴とする空気調和装置。
【請求項２】
室内熱交換器と室内ファンを有した室内機と、前記室内熱交換器と接続して冷凍サイクルを成す圧縮機、室外熱交換器および減圧装置を有した室外機と、前記室内ファンを回動することで送風された空気を導く風路の出口近傍に固定されて複数の板状部品を回動して前記室内機から吹出される空気の方向を変更可能な風向き変更装置と、前記風向き変更装置が取り付けられた前記風路の一部を構成するノズルと、少なくとも酸素富化空気または抗酸化作用を有する物質のうち１つを前記室内機の吸込口または風路内または吹出口に放出する装置とを備え、前記ノズルは前記室内機の空気吸込み側に設けたパネルまたは前記室内機本体側の風路を形成するケーシングまたは前記室内熱交換器のドレンパンのうち少なくともひとつを含む風路構成から脱着可能にしたことを特徴とする空気調和装置。
【請求項３】
前記室外機に少なくとも酸素富化膜と真空ポンプを備え、前記酸素富化膜を通過して酸素富化した空気をダクトを通じて前記室内機の吸込口または風路内または吹出口に放出することを特徴とする請求項１または請求項２記載の空気調和装置。
【請求項４】
揮発性が高く容易に拡散する抗酸化物質を含む植物性抽出液を室内機の吸込口または風路内または吹出口に放出する装置を備えたことを特徴とする請求項１または請求項２記載の空気調和装置。
【請求項５】
前記抗酸化物質の揮発による放出量をヒータにより加熱して調整することを特徴とする請求項４記載の空気調和装置。
【請求項６】
前記風向き変更装置は上下方向への風向きを変える上下フラップ及び左右方向へ風向きを変える左右ベーンの少なくともいずれか一方を有するとともに、この上下フラップおよび左右ベーンの少なくともいずれか一方を脱着または可動可能としたことを特徴とする請求項１乃至請求項５のいずれかに記載の空気調和装置。
【請求項７】
前記室内機の吸込口に設けられた吸込みグリルまたは天面グリルの少なくともひとつを脱着可能としたことを特徴とする請求項１乃至請求項６のいずれかに記載の空気調和装置。
【発明の詳細な説明】
【技術分野】
【０００１】
この発明は、酸素供給機能、抗酸化剤放出機能に代表される室内空気質改善機能を備えた空気調和装置に関するものである。
【背景技術】
【０００２】
従来の空気調和装置は冷やす暖めるといった冷房機能または暖房機能のような基本機能だけでなく、健康志向の高まりから、人体へよりよい空気質を創造する手段を有する空気調和装置が提案されている。
例えば、お部屋に不足しがちな酸素を室内に供給することを目的とし、酸素濃度の高い空気を室内機に供給する酸素富化装置が提案されており、空気調和機の室外機に少なくとも酸素富化膜、真空ポンプを有するものが提案されている（例えば、特許文献１参照。）。
また、例えば、人体へ悪影響をもたらすといわれている活性酸素の人体に対する悪影響を緩和する抗酸化剤を放出する装置を有するものが提案されている（例えば、特許文献２参照。）。
【０００３】
【特許文献１】特公平７−１０９３１３号公報（第３−４頁、第１図）
【特許文献２】特開平１１−１３２４８８号公報（第３−４頁、第１，２図）
【発明の開示】
【発明が解決しようとする課題】
【０００４】
従来の空気調和装置では、酸素富化した空気または抗酸化物質を含んだ空気を室内空間全体に吹出すための室内ファン、室内熱交換器、風路、吹出し口に、冷房運転時に発生する結露水が原因でカビが繁殖することによって、前記吹出し口より吹出す空気質改善空気が臭いという問題があった。
【０００５】
本発明は、かかる問題を解決するためになされたものであり、冷房運転時に発生する結露水によるカビの繁殖を抑制できるとともに、酸素富化効果または抗酸化効果を発揮して人体に有用となり、さらに長期間維持でき、快適な空調空間を創出できる空気調和装置を得ることを目的とする。
【課題を解決するための手段】
【０００６】
本発明に係る空気調和装置は、室内機と室外機を有し、前記室内機に設けた室内ファンを回動することで送風された空気を導く風路の出口近傍に取り付けられて複数の板状部品を回動して前記室内機から吹出される風の方向を変更可能な風向き変更装置と、少なくとも酸素または抗酸化作用を有する物質のうち１つを前記室内機の吸込口または風路内または吹出し口に放出する装置とを備え、前記風向き変更装置の複数の板状部品を前記風路から脱着させる、または前記風向き変更装置の固定状態を解除して前記風路の端の方向に可動させるようにして前記風路を開放可能としたものである。
【発明の効果】
【０００７】
本発明の空気調和機は、室内機と室外機を有し、前記室内機に設けた室内ファンを回動することで送風された空気を導く風路の出口近傍に取り付けられて複数の板状部品を回動して前記室内機から吹出される風の方向を変更可能な風向き変更装置と、少なくとも酸素または抗酸化作用を有する物質のうち１つを前記室内機の吸込口または風路内または吹出し口に放出する装置とを備え、前記風向き変更装置の複数の板状部品を前記風路から脱着させる、または前記風向き変更装置の固定状態を解除して前記風路の端の方向に可動させるようにして前記風路を開放可能としたので、本体内部を直接清掃でき、いつでも衛生的な装置が得られ、酸素富化効果または抗酸化効果が長く維持できるという効果を有する。
【発明を実施するための最良の形態】
【０００８】
実施の形態１．
本発明は、室内機と室外機を有しセパレータ型空気調和装置で圧縮機の回転数をインバータ制御による能力可変可能な空気調和機を例にとり、図１の空気調和装置の冷凍サイクル構成図を用いて説明する。
圧縮機１０１、冷媒流路切換弁１０５（以下  四方弁と称す）、室外熱交換器１０８、減圧装置１０７、室内熱交換器１０６を順次接続した冷媒圧縮サイクルを備えると共に、その室外熱交換器１０８及び室内熱交換器１０６に送風機１１１、１０９を夫々備えており、圧縮機１０１は回転速度が可変可能なインバータ駆動方式である。室温検知装置により検知された実際の室温と室温設定値により室内側の制御装置１１５が室温と設定温度の差を算出することにより空調負荷を検知し、空調負荷に応じて室外の圧縮機の運転回転速度を演算し、室外側制御装置１１６に情報をおくる。室外側制御装置１１６は、室内側制御装置１１５からの情報に基づき自動的に回転速度の制御を行う冷凍サイクル装置である。
さらに室内制御装置１１５からの冷房運転または暖房運転指令を室外制御装置１１６は受け、冷房運転時は、室外熱交換器１０８を凝縮器として室内熱交換器１０６を蒸発器として用いるように冷媒の流れを制御する四方弁１０５を制御する。暖房運転時には逆に室内熱交換器１０６を凝縮器として冷房運転時には蒸発器として冷媒を流すように四方弁５を制御する。そして、冷媒としてＨＦＣ冷媒であるＲ４１０Ａを使用している。
なお、ここまでは一般的な空気調和装置な構成であるため、詳細な説明は省略する。
【０００９】
次に、酸素富化装置の構成について説明する。
室外機には、酸素濃度を高める酸素富化膜２０１と真空ポンプ２０２、室外機内に収納された室外側酸素富化空気用ダクト２０３ａを備えている。
また、２０４は前記酸素富化膜で生成した酸素富化空気を室内に導入するための、室内機と室外機とを接続する酸素富化空気ダクトの接続延長ダクトであり、接続ジョイントである２０４ａと２０４ｂにて容易に接続が可能となっている。
さらに、室内機には、室外側酸素富化空気用ダクト２０３ａに接続延長ダクト２０４を介して接続された室内側酸素富化空気用ダクト２０３ｂと酸素富化空気を室内に吹き出すための酸素富化空気吹出口２０５で構成されている。
ここで、酸素用ダクト２０４及び２０３ｂは外形６ｍｍの小径チューブを使用している。
【００１０】
酸素富化膜２０１は、空気中の酸素、窒素等の分子において、特に酸素を透過しやすい機能膜であり、酸素富化膜を透過した空気は、酸素濃度が自然界の約２１％濃度に対し、酸素濃度が高い約３０％の空気をつくりだすことが可能である。
また、酸素富化膜２０１に空気を透過しやすくするため、酸素富化膜の２次側を真空ポンプ２０２により減圧することで高濃度酸素を抽出し、さらに真空ポンプの出口から高濃度酸素を室内空間に導く。
【００１１】
前記酸素富化空気吹出口２０５はセパレータ型空気調和装置の室内機の吸い込み口に備えられており、酸素富化空気吹出口２０５から流出する酸素富化された空気は室内機の風路を通って室内機の吹き出し口から室内空間へ放出される。また、前記酸素富化空気吹出口２０５は、室内機の風路内または吹き出し口に備えても良く、同様に室内ファン１０９の回転駆動による空気の流れにより室内空間へ放出される。
【００１２】
次に、酸素富化装置の動作について説明する。
リモートコントローラ（リモコン）１１７から、酸素富化機能ボタンが押されて酸素富化機能指令が室内制御装置１１５へ送信されると、室内制御装置１１５は室内ファン１０９を運転すると共に、室外制御装置１１６に酸素富化装置の駆動信号を送信する。室外制御装置１１６は送られてきた信号に基づき、室外ファン１１１を駆動すると共に、真空ポンプ２０２を駆動する。なお、酸素富化機能指令が送信される前に、冷房や除湿や暖房運転が既に運転している場合は、室内及び室外ファンは既に運転を開始しているため、この場合は酸素富化機能指令が送信されたら、真空ポンプ２０２のみが駆動することになる。
室外ファン１１１が駆動すると、外気を室外側熱交換器１０８へ流通させるとともに、酸素富化膜２０１の一次側に新鮮外気が導かれ、酸素を透過しやすい酸素富化膜の二次側に真空ポンプ２０２で差圧をつくることにより、酸素富化膜を通過した外気は酸素濃度を高めた空気を作りだし、酸素用ダクト２０３ａ、２０４、２０３ｂを経て、室内機に放出し、お部屋内空間の酸素濃度を高める。
またこの時、室内ファン１０９が駆動しているので、酸素濃度が高い空気は空気調和装置に設置した酸素富化空気吹出口２０５から室内機の風路を通って部屋中に拡散される。
一方、酸素富化膜２０１の一次側に導入された新鮮外気は、二次側に酸素を多く導出したため窒素濃度の高い空気がつくられることになり、この空気はそのまま外気に放出される。
【００１３】
以上のように、ユーザーがリモコンの操作ボタンにより、酸素富化駆動信号を送信されたら、室外機側から高濃度酸素空気が室内機側に供給され、室内機の吹き出し口から室内空調空間のユーザーが居る方向へ向けて放出される。これにより、閉め切ったお部屋で不足しがちな酸素濃度を補い新鮮な空気に蘇らせることが可能となり、居住者のリラクゼーションや疲労回復を助ける効果がある。
【００１４】
次に、抗酸化装置の構成について説明する。
室内機には、図１に示すように、抗酸化ケース３０１とそれを収納するケースホルダー３０２、およびケースホルダーの裏面に配設する面状ヒーター３０３から構成される抗酸化装置を備えている。この抗酸化ケース３０１の内部には抗酸化作用をもつ１，８−シネオールを含むローズマリー、ユーカリなどの植物抽出液をＥＶＡコポリマーやポリエチレンなどの透過膜に封入したものを内蔵している。
【００１５】
次に、抗酸化装置の動作について説明する。
リモコン１１７から、抗酸化機能ボタンが押されて抗酸化機能指令が送信されると、室内制御装置１１５は室内ファン１０９を駆動すると共に、前記面状ヒーター３０３に通電加熱する。なお、抗酸化機能指令が送信される前に、冷房や除湿や暖房運転が既に運転している場合は、室内ファン１０９は既に運転を開始しているため、この場合は抗酸化機能指令が送信されたら、面状ヒーター３０３のみが通電することになる。
前記面状ヒーター３０３に通電することにより、ヒーターが発熱し、ケース内の植物抽出液の温度が上昇して有効成分の揮発量が増加する。この時、室内ファン１０９が駆動しているので、揮発した抗酸化物質は室内機の風路を通って送風空気とともに部屋中に拡散される。また、ヒーターでの加熱量を調節することにより、電気的に揮発量を調整する。面状ヒーター３０３での加熱量の調整は、通電電圧を高低変化させるか、または通電ＯＮ／ＯＦＦ時間変化によっても可能となる。
【００１６】
以上のように、ユーザーがリモコンの操作ボタンにより、抗酸化駆動信号を送信されたら、揮発性が高く、空気中に容易に拡散する抗酸化物質を含む植物抽出液の揮発成分を室内機から部屋中に放出する。この抗酸化物質は、空気中の有害物質（排気ガスやタバコの煙などに含まれるＮＯ２など）により発生して老化やいろいろな病気を引き起す活性酸素を中和してその発生量を抑制するので、ユーザーが居る室内空調空間に抗酸化物質を放出することにより、健康に良い環境を作り出す効果がある。
【００１７】
前記抗酸化装置は室内機の吹き出し口に構成されており、室内機から吹き出される風と共に抗酸化物質が室内へ放出される。また、前記抗酸化装置は室内機の吹き出し口に設置するだけでなく、室内機の吸い込み口または風路内に備えてもよい。
【００１８】
次に空気調和装置室内機の構成について、図２から図８を用いて説明する。
図２は空気調和装置室内機の断面説明図、図３は室内機本体の外観説明図、図４は空気調和装置室内機の接合構造を示す部分説明図、図５は室内機の上下フラップの脱着方法説明図、図６は室内機の左右風向ベーンの脱着方法説明図、図７は室内機の左右風向ベーンの脱着方法構造説明図、図８は風向き変更装置の脱着構造説明図である。
図において、１は室内機本体１０の内部に収納されてグリル１１から吸い込んだ空気を冷却したり暖めたりする熱交換器であって、伝熱管とその周辺を取り巻くフィンからなり、この熱交換器は圧縮機や膨張弁（減圧装置）などの冷凍サイクルの一部を構成し、この伝熱管の内部を冷凍サイクルを循環する冷媒が流れ、空気と温冷熱を交換している。２はモータにより駆動されて回転し、吸い込んだ空気を風向き変更装置１２へ吹き出す送風機である横流ファン、３は風路４を形成するケーシング、５は風向き変更装置１２を構成し左右方向へ風向きを変える左右風向ベーン、６は風向き変更装置１２を構成し上下方向へ風向きを変える上下フラップ、７は本体１０を構成するパネル、１４は熱交換器１の表面に発生する水滴を保持するドレンパン、２２は空気中の埃や塵を捕集するフィルターである。８はベーンベース係止ピン２３により固定されたベーンベース、９はノズル固定部１５で固定されているノズル、１３及び３０は電装品、２１はグリル１１をパネル７のグリル係合部２４に係止するグリル係止部、２６はフラップ駆動用軸、２７は上下フラップ６に設けられスライダー２８が挿入される穴部、２９はベーンベース８に設けられた左右風向ベーン５に連結された左右ベーン駆動軸である。
【００１９】
図２において、モータにより駆動される横流ファン２が回転すると、室内の空気を室内機本体１０の前面に取付けたグリル１１及び上面のパネル７の部分から吸い込んでフィルター２２にて埃などが除去される。吸い込まれた空気は熱交換器１の板状フィンの間を通り空気と冷媒の間で熱交換されて空気は冷却または温められる。
また、空気質改善機能として、２０５は酸素富化装置により室外から導入される酸素富化空気吹出口でありフィルター２２と熱交換器１の間に配設され、この酸素富化空気吹出口２０５から放出される高濃度酸素空気は室内機の風路４を通って部屋中に拡散する。３０１は前述したように内部に抗酸化作用をもつ１，８−シネオールを含むローズマリー、ユーカリなどの植物抽出液をＥＶＡコポリマーやポリエチレンなどの透過膜に封入したものを内蔵した抗酸化ケースであり、ケースホルダー３０２に差し込む構成となっており、フィルター２２と熱交換器１の間に配設されている。さらに、ケースホルダー３０２の裏面には面状ヒーター３０３を備えており、前記ヒーター３０３に通電することにより、ヒーターが発熱し、抗酸化ケース３０１内の植物抽出液の温度が上昇して有効成分の揮発量が増加し、揮発した抗酸化物質は室内機の風路４を通って部屋中に拡散される。
なお、図２では酸素吹出口２０５及び抗酸化装置３００を室内機の吸込口に備えた例で説明したが、室内機の風路内４または吹出口に備えてもよい。
【００２０】
吸い込まれた空気中の汚れはフィルター２２で除かれるが、ここで除去できない物質は熱交換器１のフィン部分や、横流ファン２の羽根部分、ケーシング３の表面部分、風向き変更装置１２の左右風向ベーン５や上下フラップ６の板状片の表面部分など通風回路の各個所に付着する。また冷房運転時に発生する結露水が原因で、室内ファン、室内熱交換器、風路、吹出口など通風回路の各個所にカビが繁殖する。この繁殖したカビにより、室内機吹出口から放出される高濃度酸素空気と抗酸化物質などの室内空気質改善空気の効果が低下するため、室内機内部に発生するカビを除去する対応が必要となる。
【００２１】
図３は空気調和装置室内機の本体１０を前面から見た外観説明図であり、グリル１１を本体１０から取り外しフィルター２２を露出した状態を中央に、取り外したグリル１１を上側に示す。９はノズルであって、通風回路の吹出口を形成し、パネル７に点線で示すようにはめ込まれており、パネル７から取り外したノズル９の構造をその下側の図で示す。ノズル９は後ろ側を風路４に挿入してドレンパン１４に引っ掛け、パネル７に沿うように上側に押し上げるとパネル７に設けてある突起と、ノズル９の内側には凹に外側は凸になっているノズル固定部１５に勘合してノズル９はパネル７に固定される。室内機本体１０には右端に電装品１３が弾性爪によって点線のように固定されている。これを取り外した構造を図３の右端に示している。この電装品はマイコンなどを取り付けた基板類や素子などの部品が収納され、空気調和装置の制御に使用される。なお、電装品はボックス形状で本体１０の横端に設置する例で説明したが、図３の下側の図中の点線で示すようにノズル９に電装品３０を設けてもよい。
【００２２】
図３の構造でノズル９には風向き変更装置である上下フラップ６が取り付けられており、ノズル９をパネル７から脱着するとこの上下フラップ６及びこの上下フラップを駆動するモータなどを同時にはずすことになる。本体１０からグリル１１、ノズル９、電装品１３を取り外した状態では、図に示すようにフィルター２２が剥き出しとなり、このフィルターをさらに取り外すことにより熱交換器が露出する。したがって、直接ブラシにより熱交換器の汚れを取り除くことができる。長期間使用された熱交換器は吸い込み側の表面の汚れが著しく、この部分の清掃により大半の汚れを落とすことができる。さらに、電装品のような洗浄液が掛かると故障の原因となる部品を単独であるいはノズルと一緒に取り外すことができる構成なので熱交換器表面に洗浄液を吹きかけて清掃することも可能である。洗浄液は通風回路を流れるがノズル９を取り去り風路４が開放されているため容易に内部の清掃を行うことができる。さらにまたノズル単体は空気調和装置室内機から取り外して外部で直接ブラシをかけることができる。これにより、上下フラップの表と裏の面を丁寧に汚れを除去できるし、その他の部品に付着した油も布でぬぐうことができる。
【００２３】
図４はパネル７からグリル１１を脱着する構造を説明する部分説明図で、パネル７に設けられたグリル係合部２４にグリル１１のグリル係止部２１が挿入されて、回動できるようになっている。グリルを回動して一番上まで上げるとグリル係合部２１はグリル係止部２４から簡単にはずすことができ、これにより本体１０のパネル７からグリル１１を取り外しフィルター２２を露出した状態にできる。
【００２４】
上述では風向き変更装置１２の全体を一括して本体１０から脱着させる構造を説明してきたが、以下にそれぞれの部分を脱着させて風路を開放させる構造を説明する。
図５は上下フラップ６を風向き変更装置１２からはずす脱着方法説明図であり、（ａ）はパネル７にグリル１１と上下フラップ６が装着されている状態の図であって上下フラップ６は吹出口を閉鎖する位置であることを示している。図５（ｂ）は上下フラップ６とそれを支えるパネル７に固定される構造を含めた風向き変更装置１２の図面で、枠体に支持された上下フラップ駆動軸２６がモータにより駆動されて回動すると軸と一体の上下フラップ６が回転して風向きを変えることができる。風向き変更装置１２の枠体および上下フラップ６に穴部２７が固定されており、この穴部へ上下フラップの板状の部品上に図の左端と中央部の２ヶ所にスライドできるように設けられたスライダー２８が弾性力により挿入されていることが図５（ｂ）に示されている。この状態から図５（ｃ）のごとく中央のスライダー２８の軸部を穴部２７から右に弾性力に抗してスライドさせて穴と軸の掛りをはずすとともに、図５（ｄ）のごとく左端においてもスライダー２８の軸部を穴部から右にスライドさせて穴と軸の掛りをはずす。これにより板状部材の左側への動きが自由になるため図５（ｅ）のごとくフラップ板状部材全体を左に動かして、板状部材と枠体との右端係合部から軸の掛りをはずすことができる。なおこの右端の掛りは特にスライダーを設ける必要はない。同様な作業で二枚目の板状部材をはずせば上下フラップ６が本体１０から取り外すことができ、このフラップの清掃は外部で簡単に行え、出口側の汚れを除去できる。さらにパネル７の吹出口に設けられた風向き変更装置１２が取り除かれると風路４が開放され、空気調和装置室内機の内部の清掃が簡単に行うことができる。
【００２５】
図６、図７にて左右風向ベーン５の脱着について説明する。風向き変更装置１２のドレンパンなどとの取り付け面である枠体に面接触して係合しているベーンベース８が設けられており、このベーンベース８は中央で二つに分割していると共に両端部で枠体にベーンベース係止ピン２３で回動可能に留められている。運転中はベーンベース８は枠体のくぼみにベーンベース８の弾性により面で押しつけられているが、分解するときは中央部でこの嵌めあいをはずし両側の端の方向へ可動させるとこのベーンベースに固定されている左右風向ベーンの複数の板状部品は二つに分かれたブロックとして吹出口の端側にはずされる。これにより空気調和機室内機の外部に突出した左右風向ベーンを布などでこすり汚れを取ることが容易になる。さらに左右風向ベーンを可動させて端に追いやり、風路の中央部を開放したので、この中央部から掃除機の先端の吸込口にブラシをつけたもので室内機内部の横流ファンを丁寧に掃除することもでき、すなわち風路全体に掃除の道具を接触させることが可能になる。なお、左右風向ベーン駆動軸２９と駆動モータとの接続部は、ベーンベース８がベーンベース係止部を中心に回転するときに中央側に動いてモータとベーンベース駆動軸がはずれ、また再度組み立てられる際には反対に動いて結合することになる。
【００２６】
上記説明では板状部品を吹出口から除いたり可動させて風路を開放させる構造を説明したが、図８では風向き変更装置１２を一括して取り外す構成を示す。図８の風向き変更装置１２は枠体に上下フラップ６が回転軸を介して取りつけられている。また左右風向ベーン５はベーンベース８と一緒に枠体に一体に固定されている。この枠体の奥側の先端は風路４を形成するケーシング３またはドレンパン１４の嵌合部に差し込まれ、かつ入口側の爪でパネル７に食い込んで動かないように固定されている。この爪を工具によりはずしたり、爪部を押し込むことにより、風向き変更装置１２を一括して脱着させることができる。これにより横流ファン下流側の風路が開放され吹出口から横流ファンや風路および外部に取り出した風向き変更装置１２を一括して簡単に清掃できる。この構造の場合、ドレン水の排水機能を備えたドレンパン１４は本体側へ残すので熱交換器１の洗浄を行う場合でも熱交換器を洗った洗浄水を排水することが容易である。なお、図８では図中に吹出口をまたぐ形でパネルに中央アームを設ける構成図で説明をしているが、このような支柱は清掃の際掃除機を風路に突っ込む邪魔にならない位置に設けておけば良い。
【００２７】
図９は本発明の実施の形態１に係る他の空気調和装置室内機の断面説明図であり、図２とは抗酸化ケース３０１とケースホルダー３０２と面状ヒーター３０３から構成される抗酸化装置の取付位置が異なり、その他の部分は同じである。図９において、抗酸化装置を空気調和装置室内機のドレンパン１４前方で吹出口上部外郭近傍に埋め込み配設するとともに、さらにケーシング３の吹出口近傍に埋め込み設置する構成を示している。室内機の吹出口上部に設けられた抗酸化装置から揮発する抗酸化物質は、横流ファン２である室内送風機の回転駆動により室内側の熱交換器１を通過して室内機の吹出口から室内空間へ流出する吹出し気流に引き寄せられ、その流れにのって室内へ拡散される。一方、ケーシング３の吹出口近傍設置の抗酸化装置から揮発する抗酸化物質は、通風路４を流れる空気に混ざって室内空間へ拡散される。なお、図９では抗酸化装置を室内機の吹出口上部と吹出口下部のケーシング３下端部の両方に設置する構成を説明したが、これに限るものではなく、どちらか一方だけでも良く、同様の効果が得られる。
【００２８】
また、図１０はさらに他の空気調和装置室内機の断面説明図であり、図２とは抗酸化装置を室内機の吸込側設置に加えて、さらに通風路４内のケーシング３表面近傍に埋め込み設置した点が異なり、その他の部分は同じである。図１０において、抗酸化ケース３０１とケースホルダー３０２と面状ヒーター３０３から成る抗酸化装置を、通風路４内の室内ファンと風向き変更装置１２の間のケーシング３に面して埋め込み設置する構成を追加したので、室内機の吸込側から抗酸化物質を供給するとともに、送風ファンの二次側風路でも抗酸化物質を熱交換された空気に混ぜて室内空間へ放出することができる。なお、抗酸化装置を室内機の吸込側と吹出側の両方に配設する構成を説明したが、どちらか一方だけでも良く、同様の効果が得られる。
【００２９】
以上のように、この発明では通風回路や風路清掃時に風路を構成する各部品の脱着または可動を容易にしたので、空気調和装置の熱交換器、横流ファン、などの風路構成部品に付着した汚れを容易に清掃できるという効果がある。また汚れを除去することにより室内機の吹出口から吹出す空気は清潔となり、さらに、酸素富化装置による酸素富化機能、抗酸化装置による抗酸化物質拡散機能などの空気質改善機能を有し、それらを含んだ空気をユーザーが居る空調室内へ吹き出すことにより、人体に対する健康、リフレッシュ、リラックス等の効果も増大し、その機能を長期間維持できるという効果を有する。酸素富化空気や抗酸化物質を含む空気をその効果を高めるようにユーザーへ向けて送風するため、室内機の風路に付着した埃や発生したカビを除去することは、人体を守る上でもまた不快感を取り除く上でもさらに重要なこととなる。
また、通風回路を構成する部品や各機器の汚れにより通風抵抗が増大し風量が低下することは簡単な清掃で防止することができ、いつも省エネ状態で運転できる効果がある。さらに頻繁な清掃が簡単に行えるので、専門家による本格的な清掃の手間をほとんど省くことができ、性能が高く手間のかからない機器の状態を長期間維持できる。
【図面の簡単な説明】
【００３０】
【図１】本発明の実施の形態１に係る空気調和装置の冷凍サイクル構成図である。
【図２】本発明の実施の形態１に係る空気調和装置室内機の断面説明図である。
【図３】本発明の実施の形態１に係る空気調和装置室内機の機構を説明する外観説明図である。
【図４】本発明の実施の形態１に係る空気調和装置室内機の部分説明図である。
【図５】本発明の実施の形態１に係る空気調和装置室内機の上下フラップの脱着方法説明図である。
【図６】本発明の実施の形態１に係る空気調和装置室内機の左右風向ベーンの脱着方法説明図である。
【図７】本発明の実施の形態１に係る空気調和装置室内機の左右風向ベーンの脱着方法構造説明図である。
【図８】本発明の実施の形態１に係る空気調和装置室内機の風向き変更装置の脱着構造説明図である。
【図９】本発明の実施の形態１に係る他の空気調和装置室内機の断面説明図である。
【図１０】本発明の実施の形態１に係るさらに他の空気調和装置室内機の断面説明図である。
【符号の説明】
【００３１】
１  熱交換器、  ２  横流ファン、  ３  ケーシング、  ４  通風路、  ５  左右風向ベーン、  ６  上下フラップ、  ７  パネル、  ８  ベーンベース、  ９  ノズル、  １０  本体、  １１  グリル、  １２  風向き変更装置、  １３  電装品、  １４  ドレンパン、  １５  ノズル固定部、  ２１  グリル係止部、  ２２  フィルター、  ２３  ベーンベース係止ピン、  ２４  グリル係合部、  ２６  上下フラップ駆動用軸、  ２７  穴部、  ２８  スライダー、  ２９  左右風向ベーン駆動用軸、  ３０  電装品、  １０１  圧縮機、  １０５  冷媒流路切換弁、  １０６  室内側熱交換器、  １０７  減圧装置、  １０８  室外側熱交換器、  １０９  室内送風機、  １１１  室外送風機、  １１５  室内側制御装置、  １１６  室外側制御装置、  １１７  リモコン、  ２０１  酸素富化膜、  ２０２  真空ポンプ、  ２０３ａ  室外側酸素富化空気用ダクト、  ２０３ｂ  室内側酸素富化空気用ダクト、  ２０４  接続延長ダクト、  ２０４ａ，２０４ｂ  ダクト接続ジョイント、  ２０５  酸素富化空気吹出口、  ３０１  抗酸化ケース、  ３０２  抗酸化ホルダー、  ３０３  面状ヒーター。
【図１】
2005147436.tif 000003
【図２】
2005147436.tif 000004
【図３】
2005147436.tif 000005
【図４】
2005147436.tif 000006
【図５】
2005147436.tif 000007
【図６】
2005147436.tif 000008
【図７】
2005147436.tif 000009
【図８】
2005147436.tif 000010
【図９】
2005147436.tif 000011
【図１０】
2005147436.tif 000012